(57)【特許請求の範囲】
【請求項１】
ケーシングの端部から内部に取り付けられる部材が挿入され、ケーシングの所望の位置に位置決めされる内部部材の位置決め締付構造において、内部部材が取り付けられる位置のケーシング側面にねじ孔が設けられ、そのねじ孔に部材を位置決めする位置決めプラグが外測から螺合され、その位置決めプラグのセンタに穿孔された孔には内部側に大径部を有する探りボルトが挿入されており、その探りボルトは大径部の内側の一端に設けられたねじ部が前記内部部材に固着されているナットに螺合され、大径部の外側の他端に螺合された引き込みナットで前記位置決めプラグに固定されていることを特徴とする内部部材の位置決め締付構造。
【発明の詳細な説明】
【０００１】
【発明の属する技術分野】
本発明はポット型変速機に関し、ケーシングの端部から内部に取り付けられる部材が挿入され、ケーシングの所望の位置に位置決めされる内部部材の位置決め締付構造に関する。
【０００２】
【従来の技術】
ポット型変速機では、ケーシングを構成するミドルケースの端部から予めギヤが組み付けられたメインシャフトとカウンタシャフトとを軸方向に挿入しミドルケースとフロントケースとを結合して組み立てている。
【０００３】
そして、変速機のギヤ、ベアリングを潤滑するために変速機ケーシングにはオイルが注入されているが、その量が少ないと潤滑不良となり、オイル量が多いとギヤの回転の抵抗になると共にオイル温度が上昇するという問題がある。
【０００４】
この様な問題を解決するべく本出願人は、先に特願平９−２０７６４０号において、ポット型変速機のケース結合部以外の部位でギヤカバーを固定でき、ギヤカバーの公差に関係なく固定できる変速機の潤滑装置を提供した。
以下、図３、図４を参照して、特願平９−２０７６４０号の変速機の潤滑装置を説明する。
【０００５】
図３において、筒状に形成されたミドルケース２には、カウンタシャフト２１がミドルケース２の端部２ａから挿入されて組み付けられ、そのカウンタシャフト２１の一端２１ａはテーパローラベアリング２７により支持されており、そのテーパローラベアリング２７はフロントケース１に嵌合されている。
【０００６】
また、カウンタシャフト２１にはギヤ２２および２２ａがシャフト２１と一体に形成され、ギヤ２３及び２４はキー２５、２６を介してシャフト２１にスナップリング２１ｂで取り付けられている。
【０００７】
そして、全体を符号３で示すギヤカバーは円弧状に形成されギヤ２４に対応する第１の部分４が仕切り板５に固着され、その仕切り板５には接続部材６、８を介してフランジ７ａを有する円弧状に形成されギヤ２３に対応する第２の部分７が固着されている。第２の部分７はフランジ１０ａを有する円弧状部材１０、接続部材１１、１３を介してギヤ２２に対応する第３の部分１２が固着され、第３の部分１３にはエンド部材１４が固着されている。
【０００８】
また、仕切り板５の外周にはラバーで構成されたリップ５ａが取り付けられて、カウンタシャフト２１の一端２１ａに被せるように組みつけられたフロントケース１の内側に当接するよう構成され、第２の部分７に点溶接されたステー９はフロントケース１とミドルケース２とで形成された溝１ａに狭持されている。
【０００９】
図４を参照して、ギヤカバー３の第３の部分１２に点溶接で固着されたステー１５のリップ部１５ａ（内部部材）はミドルケース２に穿設された２個のボルト孔１８ａ、１８ａにミドルケース２の外部から挿入されたボルト１８、１８に螺合されたプレート１６と２個所の孔１８ａ、１８ａの中間に取り付けられたセットボルト１７の端部１７ａとで狭持されている。
【００１０】
特願平９−２０７６４０号は上述した様に構成されているので、製作精度が高くない板金製のギヤカバーをめくら挿入でケースに固定できるので、振動の影響を受けやすい細長いギヤケースカバーを複数個所で固定でき、ギヤカバー自体の補強が不要となり、軽量でコストがやすいギヤカバーが使用でき、信頼性、耐久性も向上する。
【００１１】
しかし、特願平９−２０７６４０号の技術では、ステー１５のリップ部１５ａ（内部部材）が、プレート１６とセットボルト１７の端部１７ａとの間の空間に確実に挿入されて狭持されているか否かが分かり難い。そのため、組立作業性が良くなかった。
【００１２】
また、プレート１６とセットボルト１７の端部１７ａとにより（ステー１５のリップ部１５ａ、すなわち内部部材を）狭持するという構成を採用しているため、取付位置精度が良好ではないという問題も存在する。これに加えて、プレート１６とセットボルト１７の端部１７ａで狭持するという構成では、取付箇所の剛性が低い。
【００１３】
実開平５−７９１０８号公報の技術も存在する。しかし、変速機のギヤ音低減を目的としており、上述した問題点の解消に寄与するものでない。
【００１４】
【発明が解決しようとする課題】
本発明は上述した従来技術の問題点に鑑みて提案されたもので、組立作業性が良く、内部部材の取付位置精度を向上することが出来ると共に、取付剛性を確保することが出来る様な内部部材の位置決め締付構造の提供を目的としている。
【００１５】
【課題を解決するための手段】
本発明の内部部材の位置決め締付構造は、ケーシングの端部から内部に取り付けられる部材が挿入され、ケーシングの所望の位置に位置決めされる内部部材の位置決め締付構造において、内部部材が取り付けられる位置のケーシング側面にねじ孔が設けられ、そのねじ孔に部材を位置決めする位置決めプラグが外測から螺合され、その位置決めプラグのセンタに穿孔された孔には内部側に大径部を有する探りボルトが挿入されており、その探りボルトは大径部の内側の一端に設けられたねじ部が前記内部部材に固着されているナットに螺合され、大径部の外側の他端に螺合された引き込みナットで前記位置決めプラグに固定されている。
【００１６】
かかる構成を具備する本発明により内部部材の位置決めを行う際には、ケーシング側面に設けられたねじ孔に探りボルトを挿入し、該探りボルトを内部部材に螺合し、位置決めプラグをケーシング側面に設けたねじ孔に螺合して探りボルトの軸芯を出す。そして、引き込みナットを探りボルトと螺合して、探りボルトの大径部が位置決めプラグと螺合するまで、探りボルトを内部部材とは反対の側に引き込むのである。
【００１７】
この様にして本発明の位置決め締付構造による位置決めが行われると、雄ねじと雌ねじとの螺合によって内部部材を取り付けが行われることとなる。そして、内部部材の取り付けがねじの螺合で行われることにより、組立作業性及び取付位置精度が向上すると共に、取付剛性を確保出来る。
【００１８】
【発明の実施の形態】
以下、図面を参照して、本発明の実施の形態を説明する。
図１において、ケーシング１（例えば、変速機ケーシング）の側面には内部部材３（例えば、ギヤカバー）を位置決めして固定するためのねじ孔２が設けられており、そのねじ孔２には外側から位置決めプラグ５がガスケット７を介して取り付けられている。その位置決めプラグ５のセンターには孔５ａが穿孔され、その孔５ａには探りボルト６が挿入されている。
【００１９】
そして、そのボルト６は大径部６ｄの一端がプラグ５の内側にくるように挿入されており、他端には第１のねじ部６ｆが設けられ、その第１のねじ部６ｆは内部部材３に固着されたナット４に螺合されている。ここで、符号Ｐは内部部材３の取付位置を示している。
【００２０】
また、ボルト６の大径部６ｄの一端には軸部６ａ、第２のねじ部６ｂ及び２面取り部６ｃが設けられており、第２のねじ部６ｂには引き込みナット８が螺合され、ガスケット９を介してボルト６をプラグ５に固定している。ここで、符号６ｇは探りボルト６のガイド部を示している。
【００２１】
以下、内部部材の取り付け手順について、図２を参照して説明する。
【００２２】
ケーシング１に内部部材３を取り付ける場合、図示しないケーシング１の端部から内部部材３を挿入し、ほぼ、取付位置Ｐになるようセットする。ついで、ナット４に探りボルト６のガイド部６ｇをガイドにしてボルト６を螺合し、ボルト６の２面取り部６ｃに工具を用いて、内部部材３にボルト６を固定する。
【００２３】
次に、ボルト６の軸部６ａにプラグ５の孔５ａを挿入してプラグ５をケーシング１のねじ孔２にガスケット７を介して螺合してプラグ５をケーシング１に固定する。なお、ケーシング１が変速機のケーシングのように内部にオイルを溜めているユニットの場合、ねじ孔２の座面１ａはオイルが漏らないように平滑に仕上げておく必要がある。
【００２４】
それから、探りボルト６の第２のねじ部６ｂに引き込みナット８をガスケット９を介して取り付けてボルト６をプラグ５に固定すれば、内部部材３は所定の位置に固定される。
【００２５】
そして、内部部材３が板金製の大きい部材であっても、ケーシング１にねじ孔が設けられれば、そこに位置決め締付構造を取り付けることが出来るため、内部部材を精度よく、且つ剛性が高い構造で取り付けることが可能である。
【００２６】
【発明の効果】
本発明は上記のように構成されているので、ケーシングにねじ孔を設けることにより、内部部材を所望の位置へ正確に取り付けることが出来ると共に、必要な取り付け剛性を保持して取り付けることが可能となる。
また、内部部材の位置決めに際して、組立作業性が極めて良好である。そして、内部部材を取り付ける個所の選択の自由度が大であり、大きな内部部材にも対応でき、オイル漏れの心配がなく、応用範囲が広く便利である。
【図面の簡単な説明】
【図１】本発明の一実施の形態を示す位置決め締付構造の側断面図。
【図２】図１の取り付け手順を示す図。
【図３】従来技術の一例である変速機の一部を示す側断面図。
【図４】図３のＡ矢視図。
【符号の説明】
１・・・ケーシング
２・・・ねじ孔
３・・・内部部材
４・・・ナット
５・・・プラグ
６・・・探りボルト
７、９・・・ガスケット
８・・・引き出しナット
【図１】
0003558156.tif 000002
【図２】
0003558156.tif 000003
【図３】
0003558156.tif 000004
【図４】
0003558156.tif 000005